(57)【要約】【課題】遠赤外線放射特性・抗菌性・脱臭性・ホルミシス効果および高波動数を有すると共に、マイナスイオンを発生する複合セラミックスおよびその製造方法を提供する。【解決手段】角閃石微粉末４０〜６０重量％、花崗斑岩微粉末２０〜３０重量％、および微斜長石微粉末２０〜３０重量％を混合機に投入して混合攪拌した後、該混合物を粉砕機に投入して、更に粉砕し、然る後、前記粉砕した混合微粉末を再び混合機に投入して混合攪拌するという工程を、１回または複数回繰返して製造する。【選択図】なし【特許請求の範囲】
【請求項１】
角閃石微粉末４０〜６０重量％、花崗斑岩微粉末２０〜３０重量％、および微斜長石微粉末２０〜３０重量％を混合したことを特徴とする遠赤外線放射特性・抗菌性・脱臭性・ホルミシス効果および高波動数を有すると共に、マイナスイオンを発生する複合セラミックス。
【請求項２】
角閃石微粉末４０〜６０重量％、花崗斑岩微粉末２０〜３０重量％、および微斜長石微粉末２０〜３０重量％を混合機に投入して混合攪拌した後、該混合物を粉砕機に投入して、更に粉砕し、然る後、前記粉砕した混合微粉末を再び混合機に投入して混合攪拌するという工程を、１回または複数回繰返すことを特徴とする遠赤外線放射特性・抗菌性・脱臭性・ホルミシス効果および高波動数を有すると共に、マイナスイオンを発生する複合セラミックスの製造方法。
【請求項３】
角閃石微粉末４０〜６０重量％、花崗斑岩微粉末２０〜３０重量％、および微斜長石微粉末２０〜３０重量％を混合した混合微粉末に対して外割として、焼成ドロマイト微粉末１０〜１５重量％を添加混合したことを特徴とする遠赤外線放射特性・抗菌性・脱臭性・ホルミシス効果および高波動数を有すると共に、マイナスイオンを発生する複合セラミックス。
【請求項４】
角閃石微粉末４０〜６０重量％、花崗斑岩微粉末２０〜３０重量％、および微斜長石微粉末２０〜３０重量％に対して外割として、焼成ドロマイト微粉末１０〜１５重量％を添加して混合機に投入して混合攪拌した後、該混合物を粉砕機に投入して、更に粉砕し、然る後、前記粉砕した混合微粉末を再び混合機に投入して混合攪拌するという工程を、１回または複数回繰返すことを特徴とする遠赤外線放射特性・抗菌性・脱臭性・ホルミシス効果および高波動数を有すると共に、マイナスイオンを発生する複合セラミックスの製造方法。
【発明の詳細な説明】
【技術分野】
【０００１】
本発明は、角閃石、花崗斑岩および微斜長石の微粉末を所定割合で混合した遠赤外線放射特性・抗菌性・脱臭性・ホルミシス効果および高波動数を有すると共に、マイナスイオンを発生する複合セラミックスおよびその製造方法に関するものである。更に、本発明は、抗菌性および脱臭性を高めるために、前記角閃石、花崗斑岩および微斜長石の混合微粉末に、更にドロマイトの微粉末を添加混合した遠赤外線放射特性・抗菌性・脱臭性・ホルミシス効果および高波動数を有すると共に、マイナスイオンを発生する複合セラミックスおよびその製造方法に関するものである。
【背景技術】
【０００２】
従来、角閃石、花崗斑岩および微斜長石の微粉末、またはこれらに更にドロマイトの微粉末を所定割合で混合して得られた赤外線放射特性・抗菌性・脱臭性・ホルミシス効果および高波動数を有すると共に、マイナスイオンを発生する複合セラミックスは実用に供されていない。
【０００３】
また、遠赤外線放射特性・抗菌性・脱臭性・ホルミシス効果および高波動数を有すると共に、マイナスイオンを発生する複合セラミックスおよびその製造方法に関して、過去の特許文献を遡及検索しても、同一の技術については、全く発見できず、単に下記の特許文献１に示す遠赤外線放射特性を有すると共に、抗菌性・脱臭性・防カビ性・防虫性を有する複合セラミックスおよびその製造方法が開示されている。
【０００４】
【特許文献１】特許第２８２２３２１号公報
【発明の開示】
【発明が解決しようとする課題】
【０００５】
前記のように、従来は、遠赤外線放射特性・抗菌性・脱臭性・ホルミシス効果および高波動数を有すると共に、マイナスイオンを発生する複合セラミックスは、全く実用に供されておらず、単に特許文献１に記載したような複合セラミックスが公知であるが、特許文献１記載の複合セラミックスでは、ホルミシス効果および高波動数を有し、且つマイナスイオンを発生することまで、開示されていない。遠赤外線放射特性・抗菌性・脱臭性・ホルミシス効果および高波動数を有すると共に、マイナスイオンを発生する複合セラミックスは、不織布やレーヨン等の繊維製品に練り込み、またはポリエチレン等の合成樹脂製シート、プラスチックタイル等の合成樹脂製ボード等の合成樹脂製品に練り込み、あるいは紙に練り込んで、衛生マスクやシャツ等の被服用生地、敷布、壁材、床材、壁紙、鮮度保持シート等の生活用品等に使用することにより、人体の健康増進および生活環境の改善につながるのであるが、前記特許文献１に記載のものでは、これらについての効果を全く期待することができないという課題があった。
【０００６】
本発明は、前記課題を解決すべくなされたものであって、角閃石、花崗斑岩および微斜長石の微粉末を所定割合で混合するか、または、前記角閃石、花崗斑岩および微斜長石の混合微粉末に対して、更にドロマイトの微粉末を所定割合で添加混合して、遠赤外線放射特性・抗菌性・脱臭性の各機能に加えて、更にホルミシス効果および高波動数を有し、且つマイナスイオンを発生する複合セラミックスとし、該複合セラミックスを不織布やレーヨン等の繊維製品に練り込み、またはポリエチレン等の合成樹脂製シート、プラスチックタイル等の合成樹脂製ボード等の合成樹脂製品に練り込み、あるいは紙に練り込んで、衛生マスクやシャツ等の被服用生地、敷布、壁材、床材、壁紙、鮮度保持シート等の生活用品等に使用することにより、人体の健康増進に寄与すると共に、生活環境の改善を図ることができる遠赤外線放射特性・抗菌性・脱臭性・ホルミシス効果および高波動数を有すると共に、マイナスイオンを発生する複合セラミックスおよびその製造方法を提供しようとするものである。
【課題を解決するための手段】
【０００７】
本発明は、角閃石微粉末４０〜６０重量％、花崗斑岩微粉末２０〜３０重量％、および微斜長石微粉末２０〜３０重量％を混合するという手段、または、
角閃石微粉末４０〜６０重量％、花崗斑岩微粉末２０〜３０重量％、および微斜長石微粉末２０〜３０重量％を混合した混合微粉末に対して外割として、焼成ドロマイト微粉末１０〜１５重量％を添加混合するという手段、
のいずれかを採用することにより、上記課題を解決した。
【発明の効果】
【０００８】
請求項１記載の発明によれば、４０Ｋ（カリウム４０）を含有している天然放射性鉱物である角閃石、花崗斑岩および微斜長石の微粉末を混合して得られた複合セラミックスは、前記４０Ｋによって角閃石、花崗斑岩および微斜長石を組成するＮａ、Ｃａ、Ｍｇ、Ｋが励起されて活性化され、角閃石、花崗斑岩および微斜長石の機能である遠赤外線放射効果、マイナスイオン効果、ホルミシス効果、脱臭効果、抗菌効果および高波動により人体の免疫力を高める効果が付加されるので、本発明によって得られた複合セラミックスを、不織布やレーヨン等の繊維製品に練り込み、またはポリエチレン等の合成樹脂製シート、プラスチックタイル等の合成樹脂製ボード等の合成樹脂製品に練り込み、あるいは紙に練り込んで、衛生マスクやシャツ等の被服用生地、敷布、壁材、床材、壁紙、鮮度保持シート等の生活用品等に使用することにより、人体の健康増進に寄与すると共に、生活環境の改善を図ることができる。
【０００９】
請求項２記載の発明によれば、請求項１の発明に、脱臭率および抗菌率において優れた焼成ドロマイトの微粉末を更に添加混合しているので、前記請求項１の発明の効果の外に、更に脱臭率および抗菌率において優れた複合セラミックスが得られる。
【実施例１】
【００１０】
本発明の実施例１は、角閃石、花崗斑岩および微斜長石の微粉末を所定割合で混合した遠赤外線放射特性・抗菌性・脱臭性・ホルミシス効果および高波動数を有すると共に、マイナスイオンを発生する複合セラミックスおよびその製造方法である。以下、本発明の実施例１につき、詳細に説明する。
【００１１】
本発明で使用する原材料である角閃石の化学組成式は、
（ＣａＮａＫ）３（ＭｇＦｅＡｌ）５（ＯＨＦ）２（ＳｉＡｌ）２Ｓｉ６Ｏ２２
から成っており、昇華鉱物ともいわれているが、学問的には温泉鉱物と呼ばれている。そして、前記角閃石は、地下で岩漿（Ｍａｇｍａ〜気圧３，０００、温度２，５００℃、酸素のない状態）の状態で溶融しており、地表に噴出すると酸素と接触して溶岩となり、その後凝固してできた火成岩である。
【００１２】
また、本発明で使用する他の原材料である花崗斑岩の化学組成式は、
（ＮａＫ２Ｏ）２（ＭｇＦｅＣａＯ）３Ｓｉ４Ｏ１１
から成っており、半深成岩の一種で、石英、正長石を斑晶とし、同種鉱物および若干の有色鉱物の石基より成る斑状完晶質岩である。
【００１３】
更に、本発明で使用するまた他の原材料である微斜長石の化学組成式は、
Ｋ（ＡｌＳｉ３Ｏ８）
から成っており、アルミニウム、カリウム等を含む珪酸塩鉱物である。
【００１４】
そして、本発明者は、本発明で採用される角閃石、花崗斑岩および微斜長石について、その特性を確認するため、遠赤外線放射率、マイナスイオン発生数、４０Ｋ含有量について測定した。そして、その結果を表１に示す。なお、遠赤外線の計測は、東北大学科学計測器研究所で行い、マイナスイオン数の測定は、後述する財団法人電力中央研究所で行った。
【００１５】
【表１】
2008290891.tif 000002
【００１６】
表１の測定結果から、角閃石、花崗斑岩および微斜長石は、遠赤外線放射率が９４．０〜９７．０％で、いずれも遠赤外線放射率が高く、マイナスイオン発生数が２，１００〜２，３００個／ｃｍ３／ｓｅｃで、いずれもマイナスイオン発生数が高く、更に、４０Ｋ含有量が０．３２〜０．４０ｍｇ／ｌで、いずれも４０Ｋ含有量が多いことが判った。
【００１７】
前記表１で示すように、角閃石、花崗斑岩および微斜長石がマイナスイオンを発生する主要要因について、本発明者は、角閃石、花崗斑岩および微斜長石が放射する微量放射線であるとの確信を得、前記いずれも４０Ｋ含有量を含有する、角閃石、花崗斑岩および微斜長石のうち、特に角閃石に含まれるウラン系列核種（２１４Ｂｉ）、トリウム系列核種（２２８Ａｃ）および４０Ｋの放射能濃度の測定を、東京都立産業技術研究所に依頼した。
【００１８】
そして、前記東京都立産業技術研究所は、角閃石をＵ−８容器に入れ、８０，０００秒間の測定を行い、Ｕ−８の標準線源との比較により、ウラン系列核種（２１４Ｂｉ）、トリウム系列核種（２２８Ａｃ）および４０Ｋの放射能濃度を、「ゲルマニウム半導体検出器」（ドイツ・キャンベラ製
ＧＲ３０１９）という測定機器を用いて測定した。その測定結果を表２に示す。
【００１９】
【表２】
2008290891.tif 000003
【００２０】
表２の測定結果から、原子力関係法律で規制されているウラン系列核種（２１４Ｂｉ）およびトリウム系列核種（２２８Ａｃ）の放射能濃度は、それぞれ０．０１４Ｂｑ／ｇ、０．０１３Ｂｑ／ｇで、いずれも極めて低く、前記法律上、また生体にとっても問題がないことが判った。一方、前記原子力関係法律で規制されていない４０Ｋは、前記ウラン系列核種（２１４Ｂｉ）およびトリウム系列核種（２２８Ａｃ）に比して、０．４０Ｂｑ／ｇと極めて高い放射能濃度を有していることが判明した。すなわち、前記表２の測定結果から、角閃石は天然放射性鉱物であるということができる。なお、前記したように、４０Ｋの放射能濃度は、角閃石のみしか測定していないが、角閃石とほぼ同量の４０Ｋを含有する花崗斑岩および微斜長石についても、角閃石と同程度の放射能濃度を有するものであると推定でき、前記花崗斑岩および微斜長石も、角閃石同様、天然放射性鉱物であるということができる。
【００２１】
前記Ｂｑ(ベクレル)とは、放射性核種の壊変数が１秒につき１個であるときの放射能の量をいう。そして、角閃石中の、特に放射能濃度の高い４０Ｋにより電離(イオン化)作用が発生し、該電離作用によって壊変が起こり、角閃石中の電子、分子がプラスイオンおよびマイナスイオンを発生させると考えられる。なお、前記角閃石から発生したプラスイオンは、マイナスイオンの発生数より極めて少なく、且つ滝近くでマイナスイオンと共に発生するプラスイオンと同様に、ライフサイクルが短く短時間で消滅してしまう。
【００２２】
前記角閃石、花崗斑岩および微斜長石からマイナスイオンが発生することを立証するため、本発明者は、東京電力株式会社等、国内の９電力会社が共同出資して設立した財団法人電力中央研究所に、前記角閃石、花崗斑岩および微斜長石のうち、特に角閃石のマイナスイオンの発生数の測定を依頼した。そして、表３に示す測定結果が得られた。そして、比較のため、巷間、マイナスイオンが発生する鉱物といわれている「トルマリン(電気石)」についても測定を依頼した。なお、前記財団法人電力中央研究所では、ドイツのＤｅｕ  Ｉｎｄｕｓｔｒｉｅｓ，Ｉｎｃ．社製の「Ｍｏｄｅｌ  “Ｂｅｃｋｅｔｔ”」という測定器を使用し、主任研究員工学博士  須田知孝氏が測定を担当した。
【００２３】
【表３】
2008290891.tif 000004
【００２４】
前記表３の測定結果から、角閃石は、プレート状、塊状および粉末状のいずれの性状においても、マイナスイオンの発生数はほとんど差異はなく、２，５００個〜３，０００個／ｃｍ３／ｓｅｃのマイナスイオンが発生していることが確認できた。そして、本発明者は、表１に示すように、多量に角閃石に含まれ、且つ、ウラン系列核種（２１４Ｂｉ）およびトリウム系列核種（２２８Ａｃ）より１５倍程度高い放射能濃度を有する４０Ｋが、特に多数のマイナスイオンを発生させているとの立証を得た。一方、４０Ｋを全く含んでいないトルマリンからは、マイナスイオンは全く発生せず、前記本発明者の４０Ｋがマイナスイオンを発生させるという理論が正しいことが立証できた。なお、前記したように、花崗斑岩および微斜長石も４０Ｋを含有するので、当然マイナスイオンを発生させる。
【００２５】
更に、本発明者は天然放射性鉱物である角閃石、花崗斑岩および微斜長石につき、脱臭率および抗菌率についても測定した。測定した結果を表４に示す。なお、脱臭率は、脱臭テスト（ガステスト）により測定し、また、抗菌率はハローテストにより測定した。
【００２６】
【表４】
2008290891.tif 000005
【００２７】
表４の測定結果から、角閃石、花崗斑岩および微斜長石の脱臭率は、酸性系７４．０〜７５．０％、アルカリ系７３．０〜７６．０％と中の上程度以上の脱臭率を有し、また、前記角閃石、花崗斑岩および微斜長石の抗菌率は、桿菌系が８１．０〜８２．０％、球菌系が７６．０〜７８．０％といずれも中の上程度以上の抗菌率を有することが判った。
【００２８】
前記角閃石、花崗斑岩および微斜長石による脱臭メカニズムは、物理的吸着または化学的吸着等の一般的作用ではなく、遠赤外線放射に基づく分解作用のため飽和状態とならないので、脱臭力を半永久的に有する。
【００２９】
また、角閃石の抗菌メカニズムは、大腸菌、ブドウ状球菌等の一般生菌の表層（壁）はマイナスイオンであって、そのため中性領域（ｐＨ７．０〜７．５）でしか生息が不可能であるが、前記角閃石、花崗斑岩および微斜長石は、プラスイオンをも発生するので、マイナスイオンである菌体（壁）が、前記プラスイオンによって破壊されると同時に、菌体蛋白質が変性して呼吸困難となり死滅するのである。
【００３０】
そして、前記角閃石、花崗斑岩および微斜長石に含有されている前記４０Ｋの元素は、該角閃石、花崗斑岩および微斜長石を組成する、例えば、Ｎａ、Ｃａ、Ｍｇ、Ｋの４大鉱物質を励起（Ｅｘｃｉｔｅｄ）する作用を有し、その励起作用により、前記Ｎａ、Ｃａ、Ｍｇ、Ｋの特性を最大限発揮させることができる。すなわち、原子や分子の最外殻にある電子が、外からのエネルギーで高いエネルギーの軌道に移って安定状態に戻るが、このとき光等を出し、前記Ｎａ、Ｃａ、Ｍｇ、Ｋが励起状態（Ｅｘｃｉｔｅｄ  Ｓｔａｔｅ）となり、該Ｎａ、Ｃａ、Ｍｇ、Ｋが活性化されるので、遠赤外線放射効果およびマイナスイオン効果、更には脱臭効果および抗菌効果を高めることができる。
【００３１】
また、本発明者は、角閃石、花崗斑岩および微斜長石が優れた波動を有するのではないかと考え、波動を分析する「磁気共鳴分析器ＭＲＡ」を用いて免疫の波動について分析した。その結果、免疫の波動が角閃石＋１５〜＋１８、花崗斑岩＋１４〜＋１７および微斜長石＋１５〜＋１７という分析結果を得た。最も優れた波動は「＋２１」であるので、角閃石、花崗斑岩および微斜長石は極めて優れた免疫の波動を有し、人体の免疫力を高める効果を有することが判った。
【００３２】
本発明複合セラミックスの原材料となる角閃石、花崗斑岩および微斜長石の微分末の粒径は、特に限定する必要はなく、微粉末であればよいが、好ましくは、７４μｍ（２００メッシュ）以下の微粉末を使用することが推奨され、そしてこれらの各微粉末を混合すると、各微粉末の比重、水分、湿度等の物理的特性がそれぞれ異なると共に、該各微粉末の粒径が７４μｍ以下であるため、凝集化が容易に作用して、前記各微粉末を均一に混合することは極めて容易ではない。
【００３３】
そこで、本発明者は、前記各微粉末を所定混合率により、混合機に投入して混合攪拌した後、その混合微粉末を粉砕機に投入して、更に粉砕して凝集化を阻止し、そして更に、前記粉砕した混合微粉末を再び混合機に投入して混合攪拌するという工程を、１回または複数回繰返して実施することにより、前記各微粉末を均一に混合した複合セラミックスを得ることができた。
【００３４】
すなわち、本発明複合セラミックスは、角閃石微粉末４０〜６０重量％、好ましくは４５〜５５重量％、花崗斑岩微粉末２０〜３０重量％、好ましくは２２．５〜２７．５重量％、並びに微斜長石微粉末２０〜３０重量％、好ましくは２２．５〜２７．５重量％をそれぞれ混合して製造することもでき、また、角閃石微粉末２０〜３０重量％、好ましくは２２．５〜２７．５重量％、花崗斑岩微粉末４０〜６０重量％、好ましくは４５〜５５重量％、並びに微斜長石微粉末２０〜３０重量％、好ましくは２２．５〜２７．５重量％をそれぞれ混合して製造することもできるし、また更に、角閃石微粉末２０〜３０重量％、好ましくは２２．５〜２７．５重量％、花崗斑岩微粉末２０〜３０重量％、好ましくは２２．５〜２７．５重量％、並びに微斜長石微粉末４０〜６０重量％、好ましくは４５〜５５重量％をそれぞれ混合して製造することもできる。
【００３５】
そして、本発明者は、前記角閃石、花崗斑岩および微斜長石の各微分末を表５に示す好ましい混合比率で混合して製造された複合セラミックスの遠赤外線放射率、マイナスイオン発生数、波動数、脱臭率および抗菌率につき測定した結果を、表６に示す。
【００３６】
【表５】
2008290891.tif 000006
【００３７】
【表６】
2008290891.tif 000007
【００３８】
前記表６の測定結果から、前記表５に示す試料１〜３に示す複合セラミックスのいずれも、遠赤外線放射率は９５．０〜９６．０％と極めて高く、またマイナスイオン発生数は２，１５０〜２，２００個／ｃｍ３／ｓｅｃで非常に多く、更に、波動数も＋１２〜＋１８であって、高波動数を有して免疫力において優れていることが判った。
【００３９】
そして更に、前記表５の試料１〜３に示す複合セラミックスのいずれも、脱臭率において、酸性系が８４．０〜８５．０％、アルカリ系が８２．０〜９０．０％と中の上程度の脱臭率を有すると共に、抗菌率においても、桿菌系が９０．０〜９１．０％、球菌系が８５．０〜８７．０％と中の上程度の抗菌率を有することが判った。
【００４０】
前記本発明製造方法によって製造された複合セラミックスは、ポリエステル繊維またはナイロン繊維の製造工程中の紡糸工程に所定比率で添加混入して練り込んで、パンツ、シャツや等の下着や、ベッドパッド、あるいは、その他の繊維製品とすることができる。そして、本発明者は、前記複合セラミックスをポリエステル繊維に練り込み、パンツ、下着、キルティングおよびベッドパッドとすると共に、これらの遠赤外線放射率等を測定した結果を、表７に示す。なお、前記複合セラミックスの前記素材への好ましい添加混入量は、生体（３６．５℃）が求める最良昇温温度（衣料の場合、３８〜４０℃）で総合的に判断して決定されるが、通常は５〜１０重量％である。表７に示す試料番号は、前記表５の試料番号と一致し、該表５に示す最も好ましい混合比率で製造された複合セラミックス、表７に示す適量添加量と表示した割合で添加したものである。
【００４１】
【表７】
2008290891.tif 000008
【００４２】
前記表７の測定結果から、本発明複合セラミックスを使用したパンツ、下着、キルティングおよびベッドパッドは、それぞれ遠赤外線放射率が９４．０〜９６．０％と非常に高く、またマイナスイオンも１，９５０〜２，１５０個／ｃｍ３／ｓｅｃで多く発生すると共に、波動数も＋１４〜＋１６と極めて高いことが判った。更に、３６．５℃の生体温の人体に接触した前記パンツ、下着、キルティングおよびベッドパッドは、それぞれ３８．５〜３９．０℃まで昇温し、複合繊維は人体温によって加温されると、自己発熱し、人体温より２〜２．５℃程度高くなることが判った。この自己発熱は、４０Ｋの励起作用により遠赤外線放射効果が高められるためであると考えられる。
【００４３】
一方、脱臭率は、酸性系が７８．０〜７９．０％、アルカリ系が７６．０〜８３．０％であり、また抗菌率は、桿菌系が８２．０〜８５．０％、球菌系が７７．０〜８２．０％と、中の上程度の脱臭率および抗菌率を有することが判った。
【００４４】
すなわち、前記表７に示す特性を付与されたパンツ、下着、キルティングおよびベッドパッドは、遠赤外線放射効果、マイナスイオン効果、防カビ効果、脱臭効果および抗菌効果の機能、並びに免疫力を高める機能を合わせ持たせることができる。
【実施例２】
【００４５】
前記実施例１により製造された複合セラミックスの脱臭率および抗菌率は、表６に示すように、８４．０〜９１．００％で、中の上程度の脱臭率および抗菌率を有しているが、きわめて高い脱臭率および抗菌率であるということはできない。
【００４６】
そこで、本発明者は前記実施例１において所定割合で混合された角閃石、花崗斑岩および微斜長石の混合微粉末に、更に脱臭率および抗菌率において優れている焼成ドロマイトの微粉末を添加混合すれば、実施例１における複合セラミックスよりも、脱臭率および抗菌率において優れた複合セラミックスが得られるのではないかと考え、種々テストの結果、実施例２による発明を完成した。
【００４７】
すなわち、ドロマイトは、一般にカルシウムとマグネシウムの複合炭酸塩ＣａＭｇ（ＣＯ３）２、またはこれを主成分とする鉱物をいう。このドロマイトを焼成すると、加熱温度７００〜８００℃でＭｇＣＯ３分が分解して二酸化炭素（ＣＯ２）を放出し、主に炭酸カルシウム（ＣａＣＯ３）と酸化マグネシウム（ＭｇＯ）の焼成物となり、更に焼成温度８５０〜１，１００℃で炭酸カルシウム（ＣａＣＯ３）が分解して二酸化炭素（ＣＯ２）を放出し、主に酸化カルシウム（ＣａＯ）と酸化マグネシウム（ＭｇＯ）の焼成物となる特性を有している。
【００４８】
そして、前記焼成温度８５０〜１，１００℃で得られた酸化カルシウム（ＣａＯ）と酸化マグネシウム（ＭｇＯ）の成分より成る焼成ドロマイトが、脱臭性および抗菌性を有することを裏付けるテストをした結果を表８に示す。
【００４９】
【表８】
2008290891.tif 000009
【００５０】
表８の測定結果から、８５０〜１，１００℃で焼成して得られた焼成ドロマイトは、脱臭率および抗菌率において、９８．０〜９９．０％の脱臭性および抗菌性を有することが立証できた。しかしながら、前記焼成ドロマイトは、遠赤外線放射特性がなく、またマイナスイオンも発生せず、更に波動は発生せず、波動による免疫力の評価ができないことが判明した。
【００５１】
そして、前記特性を有する焼成ドロマイトは、前記角閃石、花崗斑岩および微斜長石と同様、その粒径は特に限定する必要はなく、微粉末であればよいが、好ましくは、７４μｍ以下の微粉末を使用することが推奨され、表５において示された混合比率で混合された角閃石、花崗斑岩および微斜長石の混合微粉末に対して、外割（前記角閃石、花崗斑岩および微斜長石の混合微粉末の総混合重量を１００重量％として、これに更に添加混合する割合）として、前記焼成ドロマイト微粉末１０〜１５重量％を添加混合して複合セラミックスを製造する。
【００５２】
そして、本発明者は、前記表５に示す好ましい混合比率で混合した、試料１〜３の角閃石、花崗斑岩および微斜長石の混合微粉末に対して、それぞれ外割として、前記焼成ドロマイトの微粉末１０重量％を添加混合して製造された各複合セラミックスの遠赤外線放射率、マイナスイオン発生数、波動数、脱臭率および抗菌率につき、測定した結果を表９に示す。なお、表９においては、焼成ドロマイトの微粉末を添加混合して製造された複合セラミックスを、それぞれ試料１ａ、２ａ、３ａとして表示した。
【００５３】
【表９】
2008290891.tif 000010
【００５４】
前記表９の測定結果から、各試料１ａ、２ａ、３ａとも、脱臭率および抗菌率において、実施例１の表６に示す各試料１、２、３よりも大幅に上昇したことが立証できた。
【００５５】
なお、表６において、遠赤外線放射率が高く、また、マイナスイオンを発生し、
更に波動数値の高い角閃石、花崗斑岩および微斜長石の混合微粉末に、遠赤外線放射特性がなく、マイナスイオンも発生せず、更に波動も発生しない焼成ドロマイト微粉末を添加混合して製造された複合セラミックスは、表９に示すように遠赤外線放射率、マイナスイオン発生数および波動数はそれぞれ表６と変化がなく、更に焼成ドロマイトの添加混合割合が低いにも拘らず、表８に示す脱臭率および抗菌率と大差がないのは、前記角閃石、花崗斑岩および微斜長石に含有される４０Ｋによる励起作用により、前記各遠赤外線放射特性、マイナスイオン発生、波動、脱臭性および抗菌性が最大限に発揮されるからであると考えられる。
【００５６】
実施例２によって製造された複合セラミックスは、実施例１によって製造された複合セラミックスについて、表７に示すようなテストは、実施していないが、前記表９に示すような実施例２によって製造された複合セラミックスの特性から判断して、表７と同様の特性を備えるものであると考えられる。